(57)【特許請求の範囲】
【請求項１】
一対のサイドウォールの少なくとも一方の表面に円環状装飾帯を配置し、この円環状装飾帯を、前記サイドウォール表面より表面粗さが粗い背景部分と、この背景部分内に設けられ、背景部分よりも平滑な表面粗度を有することにより標章を形成する前景部分とで構成してなるタイヤにおいて、
前記前景部分の半径方向延在幅と、前記背景部分の延在幅とを等しくするとともに、前記前景部分を、前記円環状装飾帯に隣接するサイドウォール部分に、同じ表面粗度で連続して連なるよう構成してなり、
前記背景部分にタイヤ半径方向に対して傾斜するリッジを並べることにより、この背景部分の表面粗さを前記サイドウォール表面より粗くしてなり、
前記前景部分が、前記サイドウォール表面と同じ高さで前記サイドウォール部分と連続している、タイヤ。
【請求項２】
前記リッジの頂点部分が、前記サイドウォール表面と同じ高さである、請求項１に記載のタイヤ。
【請求項３】
前記前景部分の内側に、サイドウォール表面に対する高さが周囲の前景部分より低い凹み部を設けてなる請求項１もしくは２に記載のタイヤ。
【請求項４】
前記凹み部に、タイヤ半径方向に対して傾斜するリッジを並べてなる請求項３に記載のタイヤ。
【請求項５】
前記背景部分のリッジと、前記凹み部のリッジとを、タイヤ半径方向に対する傾斜角度、断面形状、および、配列間隔のいずれにおいても同一にしてなる請求項４に記載のタイヤ。
【請求項６】
一対のサイドウォールの少なくとも一方の表面に円環状装飾帯を配置し、この円環状装飾帯を、前記サイドウォール表面より表面粗さが粗い背景部分と、この背景部分内に設けられ、背景部分よりも平滑な表面粗度を有することにより標章を形成する前景部分とで構成してなるタイヤにおいて、
前記前景部分の半径方向延在幅と、前記背景部分の延在幅とを等しくするとともに、前記前景部分を、前記円環状装飾帯に隣接するサイドウォール部分に、同じ表面粗度で連続して連なるよう構成してなり、
前記前景部分の内側に、サイドウォール表面に対する高さが周囲の前景部分より低い凹み部を設け、前記凹み部の表面及び前記周囲の前景部分の表面は平滑であるタイヤ。
【請求項７】
対応するリムのリム径をＤとし、タイヤ断面高さをＨとしたとき、前記円環状装飾帯の半径方向外側の縁を、（０．５Ｄ＋０．６Ｈ）〜（０．５Ｄ＋０．８Ｈ）のタイヤ半径方向範囲に配置し、前記円環状装飾帯の半径方向内側の縁を、（０．５Ｄ＋０．１５Ｈ）〜（０．５Ｄ＋０．４５Ｈ）のタイヤ半径方向範囲に配置してなる請求項１〜６のいずれかに記載のタイヤ。
【発明の詳細な説明】
【技術分野】
【０００１】
本発明は、一対のサイドウォールの少なくとも一方の表面に装飾帯を設け、装飾帯に標章を形成したタイヤに関し、特に、標章の視認性を高めるとともに標章を形成したことに起因する寿命低下を防止することのできるものに関する。
【背景技術】
【０００２】
タイヤのトレードマーク、トレードドレス等を表示するため、そのサイドウォールに、文字、記号または図形よりなる標章を形成することが行われていて、これらの標章を目立たせることを目的とした、以下のようなタイヤが知られている（例えば、特許文献１参照。）。
【０００３】
図１（ａ）は、このような従来のタイヤを示す側面図、図１（ｂ）は、図１（ａ）のｂ１−ｂ１矢視に対応する断面図であり、このタイヤは、サイドウォール９１の表面に、多数のリッジ９８を周方向に並べて表面を粗くした背景部分９２を有する円環状装飾帯９４を形成し、この背景部分９２の中に背景部分９２とは表面粗さの異なる前景部分９３を設け、これらの表面粗さの違いにより前記標章を表すことが行われている。
【０００４】
そして、このタイヤの前景部分９３の半径方向延在幅は、背景部分９２の延在幅より小さくなるよう構成され、前景部分の半径方向内外には、この前景部分と、円環状装飾帯に隣接するサイドウォール部分との間には背景部分９２が延在する。
【特許文献１】特開２００２−５２５３７号公報
【発明の開示】
【発明が解決しようとする課題】
【０００５】
しかしながら、図１に示したタイヤにあっては、標章を大きくしようとして、背景部分９２の縁まで、あるいはその近くまで前景部分９３を延在させた場合には、前景部分９３と、サイドウォール部分９１との間に挟まれた背景部分９２は、幅ｄ1の狭幅凹部９７となって、この狭幅凹部９７に応力が集中しそこからクラックが入る可能性があるため、前景部分を十分に大きくすることができず、これを目立たせようとしても限界があった。
【０００６】
本発明は、このような問題点に鑑みてなされたものであり、円環状装飾帯の一部から発生する可能性のあるクラックを抑えるとともに、この装飾帯に形成した標章の視認性を向上させることのできるタイヤを提供することを目的とする。
【課題を解決するための手段】
【０００７】
＜ １ ＞ は、一対のサイドウォールの少なくとも一方の表面に円環状装飾帯を配置し、この円環状装飾帯を、前記サイドウォール表面より表面粗さが粗い背景部分と、この背景部分内に設けられ、背景部分よりも平滑な表面粗度を有することにより標章を形成する前景部分とで構成してなるタイヤにおいて、
前記前景部分の半径方向延在幅と、前記背景部分の延在幅とを等しくするとともに、前記前景部分を、前記円環状装飾帯に隣接するサイドウォール部分に、同じ表面粗度で連続して連なるよう構成してなり、
前記背景部分にタイヤ半径方向に対して傾斜するリッジを並べることにより、この背景部分の表面粗さを前記サイドウォール表面より粗くしてなり、
前記前景部分が、前記サイドウォール表面と同じ高さで前記サイドウォール部分と連続している、タイヤ。
【０００８】
ここで、標章とは、文字、記号、図形、および、これらの組み合わせをいうものとする。また、本明細書において、「表面粗度」もしくは「表面粗さ」とは、JIS B 0601に規定される、凹凸の平均間隔Sm、十点平均粗さRzを用いて、以下の式（１）〜（３）の全てを満足する範囲におけるRzの値で定義されるものとし、Rzの大きい方を表面粗度が「粗い」ということとする。
Sm(mm)≦3                                                  （１）
Rz(μm)≦3000                                               （２）
Rz(μm)/Sm(mm)≧100                                        （３）
そして、この定義に従えば、平滑表面に砂地処理や梨地処理を施すことによって表面粗度を粗くすることができるが、通常リッジと呼ばれる突条を配列することによっても表面粗度を粗くすることができる。
【０００９】
＜ ２ ＞ は、＜ １ ＞ において、前記リッジの頂点部分が、前記サイドウォール表面と同じ高さであるタイヤである。
【００１０】
＜ ３ ＞ は、＜ １ ＞ もしくは＜ ２ ＞ において、前記前景部分の内側に、サイドウォール表面に対する高さが周囲の前景部分より低い凹み部を設けてなるタイヤである。
【００１１】
＜ ４ ＞ は、＜ ３ ＞ において、前記凹み部に、タイヤ半径方向に対して傾斜するリッジを並べてなるタイヤである。
【００１２】
＜ ５ ＞ は、＜ ４ ＞ において、前記背景部分のリッジと、前記凹み部のリッジとを、タイヤ半径方向に対する傾斜角度、断面形状、および、配列間隔のいずれにおいても同一にしてなるタイヤである。
加えて、＜ ６ ＞ は、一対のサイドウォールの少なくとも一方の表面に円環状装飾帯を配置し、この円環状装飾帯を、前記サイドウォール表面より表面粗さが粗い背景部分と、この背景部分内に設けられ、背景部分よりも平滑な表面粗度を有することにより標章を形成する前景部分とで構成してなるタイヤにおいて、
前記前傾部分の半径方向延在幅と、前記背景部分の延在幅とを等しくするとともに、前記前景部分を、前記円環状装飾帯に隣接するサイドウォール部分に、同じ表面粗度で連続して連なるよう構成してなり、
前記前景部分の内側に、サイドウォール表面に対する高さが周囲の前景部分より低い凹み部を設け、前記凹み部の表面及び前記周囲の前景部分の表面は平滑であるタイヤである。
【００１３】
＜７＞ は、＜１＞〜 ＜６＞ のいずれかにおいて、対応するリムのリム径をＤとし、タイヤ断面高さをＨとしたとき、前記円環状装飾帯の半径方向外側の縁を、（０．５Ｄ＋０．６Ｈ）〜（０．５Ｄ＋０．８Ｈ）のタイヤ半径方向範囲に配置し、前記円環状装飾帯の半径方向内側の縁を、（０．５Ｄ＋０．１５Ｈ）〜（０．５Ｄ＋０．４５Ｈ）のタイヤ半径方向範囲に配置してなるタイヤである。
【発明の効果】
【００１４】
＜１＞によれば、前景部分の半径方向延在幅と、前記背景部分の延在幅とを等しくするとともに、前記前景部分を、前記円環状装飾帯に隣接するサイドウォール部分に、同じ表面粗度で連続して連なるよう構成したので、背景部分に対する前景部分の表面祖度の差によって形成される標章のタイヤ半径方向幅を従来のものより大きくすることによりこの標章を目立たせることができ、また、背景部分における、サイドウォール部分と前景部分との間に狭幅凹部が形成されることがなく、ここからのクラックに起因するタイヤの故障を防止することができる。
【００１５】
また、円環状装飾帯は、外観上もっとも目立ちやすい部分であるが、この円環状装飾帯内の背景部分を、サイドウォールの表面より表面粗度の粗いものとしたので、主たる標章の形成に関与しない円環状装飾帯内の部分に凹凸や汚れが生じた場合、これらを目立たなくさせ、タイヤの外観性能を向上させることができる。
さらに、背景部分にリッジを並べることにより、背景部分の、周囲の部分に対する表面粗度を粗くしたので、これを、他の方法、例えば、腐食加工等により面を荒した場合に比して、金型の加工精度を一定に保ちやすく、また、第二表示域の背景部分とその隣接部分との光の反射の違いをより鮮明にしてデザイン性を向上させることができる。
また、リッジの方向を、タイヤ半径方向に対して傾斜する方向としたので、もし、これを半径方向に向いたものであるとした場合、一般的に、タイヤ半径方向内側が下となるよう配置された標章に対して、真正面、真上、もしくは真下からこれを見た場合、リッジを設けた部分とそうでない部分とのコントラストの差が小さくなり視認性が悪くなる現象を防止することができる。
【００１６】
＜ ３ ＞ によれば、前記前景部分の内側に、サイドウォール表面に対する高さが周囲の前景部分より低い凹み部を設けたので、前景部分を一層強調して表示することができ、標章の視認性をさらに高めることができる。
【００１８】
＜ ４ ＞ によれば、前記凹み部に、タイヤ半径方向に対して傾斜するリッジを並べたので、前記凹み部をさらに強調することができ、その結果、標章の視認性をなお一層高めることができる。
【００１９】
＜ ５ ＞ によれば、前記背景部分のリッジと、前記凹み部のリッジとを、タイヤ半径方向に対する傾斜角度、断面形状、および、配列間隔のいずれにおいても同一であるとしたので、タイヤを成形するモールドの加工をシンプルな工程で構成することができ、それに伴ってモールド加工性も向上させることができる。
【００２１】
＜ ７ ＞ によれば、前記円環状装飾帯の範囲を前述のとおりとなるように構成したので、もっとも視認性の高い領域に標章を形成することができる。
【発明を実施するための最良の形態】
【００２２】
本発明の実施形態について、図に基づいて説明する。図２は、本発明に係る第一実施形態のタイヤを示す側面図であり、また、図３（ａ）は、このタイヤの第一表示域を拡大して示す側面図、図３（ｂ）は、図３（ａ）のｂ2−ｂ2矢視に対応する断面図、そして、図３（ｃ）は、図３（ａ）のｃ2−ｃ2矢視に対応する断面図であり、タイヤ１０は、少なくとも一方のサイドウォール１の表面に、タイヤ中心軸を周回する円環状装飾帯２を形成してなり、円環状装飾帯２は、サイドウォール１の表面より表面粗さが粗い背景部分３と、この背景部分３内に設けられ、背景部分３よりも平滑な表面粗度を有することにより標章を形成する前景部分４とで構成されている。
【００２３】
ここで、背景部分３と前景部分４との表面粗度の差によって形成される標章は、図示の場合、「ＩＮＳＩＤＥ」なる文字であるが、このような標章としては、文字のほか、記号、図形、および、これらの組み合わせたものとすることができる。
【００２４】
そして、このタイヤ１０は、前景部分４の半径方向延在幅ｗと、背景部分３の延在幅ｗとが等しく、前景部分４は、円環状装飾帯２に隣接するサイドウォール部分１に、同じ表面粗度で連続して連なるよう構成されているという特徴を有する。
【００２５】
このように、前景部分４の半径方向最大幅wを、背景部分３の半径方向最大幅wとを同じにすることにより、標章を円環状装飾帯２の幅一杯に配置することができ、標章の視認性を向上させることができる。
【００２６】
また、このとき、前景部分４は、円環状装飾帯２の内外に隣接するサイドウォール部分１に、同じ表面粗度で連続して連なるので、サイドウォール１と前景部分６との間においてクラックが発生することはない。
【００２７】
また、背景部分３を、サイドウォール１より粗度の粗いものとしたので、この部分に凹凸や汚れができた場合でも、これらを目立たなくさせ、タイヤの外観性能を向上させることができる。
【００２８】
以上のように、本発明は、目立たせたい主たる標章を、所望通り目立たせるとともに、目立たせたくない凹凸や汚れ、所望通りに、目立たせないようにすることができる。
【００２９】
背景部分３をサイドウォール１の表面より粗くする方法として、金型をブラスト等で表面加工することによりこの金型面に対応するタイヤ表面を粗にすることもできるが、図示の例のように、タイヤ半径方向に対して傾斜するリッジ（突条）９を並べることにより表面を祖にするのが好ましく、この場合、金型表面の加工状態を高精度に維持させ、また、タイヤにおいて、リッジ９が設けられた面の、これに隣接する他の面との光の反射によるコントラストを大きなものにすることができる。
【００３０】
ここで、タイヤ１０に対応するリムのリム径をDとし、タイヤ断面高さをHとしたとき、円環状装飾帯２の半径方向外側縁のタイヤ半径方向位置r1は、（0.5D+0.6H）〜（0.5D+0.8H）の範囲にするのが好ましく、円環状装飾帯２の半径方向内側縁のタイヤ半径方向位置r2は（0.5D+0.15H）〜（0.5D+0.45H）の範囲にあり、この両側縁により特定された領域はもっとも標章を視認するのにもっとも優れた部分であり、標章の視認性を高いものにすることができる。
【００３１】
図４（ａ）は、本発明に係る第二実施形態のタイヤにおけるサイドウォール部分の一部を拡大して示す側面図、図４（ｂ）は、図４（ａ）のｂ3−ｂ3矢視に対応する断面図、そして、図４（ｃ）は、図４（ａ）のｃ3−ｃ3矢視に対応する断面図であり、タイヤ１０Ａは、少なくとも一方のサイドウォール１の表面に、タイヤ中心軸を周回する円環状装飾帯２Ａを形成してなり、円環状装飾帯２Ａは、サイドウォール１の表面より表面粗さが粗い背景部分３と、この背景部分内に設けられ、背景部分３よりも平滑な表面粗度を有することにより標章を形成する前景部分４Ａとで構成され、前景部分４Ａの半径方向延在幅ｗと、背景部分３の延在幅ｗとは等しく、前景部分４が、円環状装飾帯２Ａに隣接するサイドウォール部分１に、同じ表面粗度で連続して連なるよう構成されているという点においては、第一実施形態と同じである。
【００３２】
第二実施形態が、第一実施形態のタイヤと異なる点は、唯一、前景部分４Ａに周囲の部分７より凹んだ凹み部８が設けられていることであり、このことによって、表彰を強調して表示することができる。
【００３３】
図５（ａ）は、本発明に係る第三実施形態のタイヤにおけるサイドウォール部分の一部を拡大して示す側面図、図５（ｂ）は、図５（ａ）のｂ4−ｂ4矢視に対応する断面図、そして、図５（ｃ）は、図５（ａ）のｃ4−ｃ4矢視に対応する断面図であり、タイヤ１０Ｂは、少なくとも一方のサイドウォール１の表面に、タイヤ中心軸を周回する円環状装飾帯２Ｂを形成してなり、円環状装飾帯２Ｂは、サイドウォール１の表面より表面粗さが粗い背景部分３と、この背景部分内に設けられ、背景部分３よりも平滑な表面粗度を有することにより標章を形成する前景部分４Ｂとで構成され、前景部分４Ｂの半径方向延在幅ｗと、背景部分３の延在幅ｗとは等しく、前景部分４Ｂが、円環状装飾帯２Ｂに隣接するサイドウォール部分１に、同じ表面粗度で連続して連なるよう構成されているという点、ならびに、前景部分４Ｂには、周囲の部分１７より凹んだ凹み部１８が形成されている点においては、第二実施形態と同じであるが、この第三実施形態のタイヤ１０Ｂにおいては、凹み部１８には、背景部分３に配列されているのと同じ形状、同じ向き、同じ配置間隔、同じ寸法のリッジ９が設けられており、このことによって、タイヤを加硫する金型を、よりシンプルな工程で加工することができる。
【産業上の利用可能性】
【００３４】
本発明は、種々の種類や用途のタイヤに好適に用いることができる。
【図面の簡単な説明】
【００３５】
【図１】従来のタイヤを示す側面図および断面図である。する断面図であり、
【図２】第一実施形態のタイヤを示す側面図である。
【図３】第一実施形態のタイヤの一部分を拡大して示す側面図、および、断面図である。
【図４】第二実施形態のタイヤの一部分を拡大して示す側面図、および、断面図である。
【図５】第三実施形態のタイヤの一部分を拡大して示す側面図、および、断面図である。
【符号の説明】
【００３６】
１    サイドウォール
２、２Ａ、２Ｂ    円環状装飾帯
３、３Ａ、３Ｂ    背景部分
４、４Ａ、４Ｂ    前景部分
７    凹み部の周囲の部分
８    凹み部
９    リッジ
１０、１０Ａ、１０Ｂ    タイヤ
１７    凹み部の周囲の部分
１８    凹み部
【図１】
0005244299.tif 000002
【図２】
0005244299.tif 000003
【図３】
0005244299.tif 000004
【図４】
0005244299.tif 000005
【図５】
0005244299.tif 000006